(57)【要約】伝送装置（１０）は、少なくとも一部の区間が重複する複数種類の伝送区間を対象とした切替要求を取得する取得手段（１１６、１１７）と、複数種類の伝送区間の夫々に対応する優先度を示す優先度情報（１１４）に基づいて、複数種類の伝送区間を対象とした切替要求のうちのいずれか一つを選択する選択手段（１１３）と、選択された切替要求に応じた伝送経路の切り替えを行う切替手段（１１５、１１８）とを備える。
2011125217.tif 000002
【特許請求の範囲】
【請求項１】
少なくとも一部の区間が重複する複数種類の伝送区間を対象とした信号の伝送経路の切替要求を取得する取得手段と、
優先度を示す優先度情報に基づいて、前記切替要求のうちのいずれか一つを選択する選択手段と、
選択された前記切替要求に応じた前記伝送経路の切り替えを行う切替手段と
を備えることを特徴とする伝送装置。
【請求項２】
前記切替要求は、当該切替要求の発生原因を示す要求状態情報及び当該切替要求が対象とする前記伝送区間の種類を示す区間種類情報を含んでおり、
前記優先度情報は、前記切替要求の発生原因に対応する優先度及び前記伝送区間の種類に対応する優先度の夫々を示し、
前記選択手段は、前記切替要求の発生原因及び前記伝送区間の種類の夫々に対応する優先度を示す前記優先度情報に基づいて、前記複数種類の伝送区間を対象とした前記切替要求のうちのいずれか一つを選択することを特徴とする請求項１に記載の伝送装置。
【請求項３】
前記切替要求は、当該切替要求を送信する伝送装置の位置を示す位置情報を含んでおり、
前記優先度情報は、前記伝送区間の種類に対応する優先度及び前記切替要求を受信する伝送装置に対する前記切替要求を送信する伝送装置の位置に対応する優先度の夫々を示し、
前記選択手段は、前記伝送区間の種類に対応する優先度及び前記切替要求を受信する伝送装置に対する前記切替要求を送信する伝送装置の位置に対応する優先度を示す前記優先度情報に基づいて、前記複数種類の伝送区間を対象とした前記切替要求のうちのいずれか一つを選択することを特徴とする請求項１に記載の伝送装置。
【請求項４】
前記位置情報は、前記伝送装置を識別する識別情報であることを特徴とする請求項３に記載の伝送装置。
【請求項５】
前記優先度情報は、前記切替要求を送信する伝送装置が、前記切替要求を受信する伝送装置に隣接しているか否かによって区別される優先度を示し、
前記選択手段は、前記切替要求を送信する伝送装置が前記切替要求を受信する伝送装置に隣接しているか否かによって区別される優先度を示す前記優先度情報に基づいて、前記複数種類の伝送区間を対象とした前記切替要求のうちのいずれか一つを選択することを特徴とする請求項３に記載の伝送装置。
【請求項６】
前記優先度情報は、前記切替要求を送信する伝送装置が前記切替要求を受信する伝送装置に隣接している場合の優先度が、前記切替要求を送信する伝送装置が前記切替要求を受信する伝送装置に隣接していない場合の優先度よりも高いことを示すことを特徴とする請求項１に記載の伝送装置。
【請求項７】
選択された前記切替要求に応じた前記伝送経路の切り替えを行っていることを示す切替実行情報を、前記複数種類の伝送区間のうち当該伝送装置が属する伝送区間上に位置する他の伝送装置に対して送信する送信手段を更に備えることを特徴とする請求項１に記載の伝送装置。
【請求項８】
前記切替実行情報を受信する受信手段を更に備え、
前記送信手段は、(i)新たに受信した若しくは送信すべき前記切替実行情報の優先度がそれまでに受信していた若しくは送信していた前記切替実行情報の優先度よりも低い場合に、それまでに受信していた若しくは送信していた前記切替情報を前記他の伝送装置に対して送信し、(ii)新たに受信した若しくは送信すべき前記切替実行情報の優先度がそれまでに受信していた若しくは送信していた前記切替実行情報の優先度よりも高い場合に、新たに受信した若しくは送信すべき前記切替実行情報を前記他の伝送装置に対して送信することを特徴とする請求項７に記載の伝送装置。
【請求項９】
前記複数種類の伝送区間は、ＩＴＵ−Ｔ（International Telecommunication Union Telecommunication Standardization Sector）勧告のＯＴＮ（Optical Transport Network）に準拠したパス、セクション及びＴＣＭ（Tandem Connection Monitoring）の少なくとも一つを含むことを特徴とする請求項１に記載の伝送装置。
【請求項１０】
少なくとも一部の区間が重複する複数種類の伝送区間を対象とした信号の伝送経路の切替要求を取得する取得工程と、
優先度を示す優先度情報に基づいて、前記切替要求のうちのいずれか一つを選択する選択工程と、
選択された前記切替要求に応じた前記伝送経路の切り替えを行う切替工程と
を備えることを特徴とする伝送方法。
【発明の詳細な説明】
【技術分野】
【０００１】
本発明は、例えば信号の送信や受信を行う伝送装置及び方法に関し、より具体的には例えば基幹伝送路としてのバックボーン回線上での信号の送信や受信を行う伝送装置及び方法に関する。
【背景技術】
【０００２】
バックボーン回線等の基幹伝送路又はその他の伝送路等に採用される通信規格として、ＩＴＵ−Ｔ（International Telecommunication Union Telecommunication Standardization Sector）勧告のＯＴＮ（Optical Transport Network）が提案されている。ＯＴＮでは、伝送路の信頼性や運用性の向上のために、伝送路に対して設定された複数の回線（例えば、現用回線及び予備回線）の切り替えが行われる。複数の回線の切り替えの方式として、１＋１切替や１：ｎ切替等が存在する。複数の回線の切り替えは、ＯＴＮフレーム中に含まれるＡＰＳ（Automatic Protection Switching）バイト（或いは、ＡＰＳチャネル）を各伝送装置が参照することによって行われる。【０００３】
一方で、ＯＴＮでは、伝送路の階層化概念として、ＳＤＨ（Synchronous Digital Hierarchy）やＳＯＮＥＴ（Synchronous Optical Network）等で採用されていたパス及びセクションというセグメント（伝送区間）の概念に加えて、ＴＣＭ（Tandem Connection Monitoring）という新たなセグメントの概念が導入されている。ＴＣＭは、伝送路上の任意の位置の又は任意の長さのセグメントに対して自由に設定することができる。つまり、ＴＣＭを導入することによって、ネットワークプロバイダやユーザごとに固有のセグメントを設定することができる。このため、ネットワークプロバイダやユーザごとに固有のセグメントに対して、障害の発生状況や回線品質等のモニタリングを行うことができる。
【先行技術文献】
【特許文献】
【０００４】
【特許文献１】特開２００３−６９５２１号公報
【発明の概要】
【発明が解決しようとする課題】
【０００５】
ＯＴＮでは、ＭＦＡＳ（Multi Frame Alignment Signal）を用いることで、複数種類のセグメントの夫々に対して個別にＡＰＳバイトを送信することができる。従って、上述した１＋１切替や１：ｎ切替は、ＭＦＡＳ及びＡＰＳバイトに応じて、パスの単位やセクションの単位やＴＣＭの単位で行われる。しかしながら、現状の１＋１切替や１：ｎ切替では、パスという単一のセグメントに対する回線の切り替えが考慮されているに過ぎない。このため、異なる複数種類のセグメントに対して回線の切替要求が生じた場合には、切り替えの完了（言い換えれば、障害が生じている回線の救済）までの時間が相対的に長くなってしまったり、最適な切り替えが行われなくなってしまったり、或いは不要な切り替えが発生してしまいかねないという技術的な問題点が生じてしまう。【０００６】
例えば、第１の伝送装置と第２の伝送装置との間のパスに生じた障害に起因した現用回線から予備回線への切替要求が発生した後に、当該第１及び第２の伝送装置を中間ノードとして含むＴＣＭに対してＦＳ（Forced Switch）による予備回線から現用回線への切替要求が発生した場合について検討する。この場合、第１の伝送装置と第２の伝送装置との間のパスでは、現用回線から予備回線への切り替えが行われる。一方で、第１及び第２の伝送装置を中間ノードとして含むＴＣＭでは、予備回線から現用回線への切り替えが行われる。しかしながら、第１の伝送装置と第２の伝送装置との間のパスでは現用回線に障害が発生しているため、ＴＣＭでの現用回線への切り替えによって、その後の信号の正常な伝送が困難になってしまう。従って、必ずしも最適な切り替えが行われなくなってしまう。【０００７】
加えて、ＴＣＭという新たなセグメントの導入に限らず、複数種類のセグメントが導入されている場合には、上述した技術的な問題点が生じ得る。つまり、パス及びセクションという概念を採用しているＳＤＨやＳＯＮＥＴにおいても、パスに対する切替要求とセクションに対する切替要求とが生じた場合には、同様の技術的な問題点が生じかねない。【０００８】
本発明が解決しようとする課題には上記のようなものが一例として挙げられる。本発明は、例えば異なる種類の伝送区間に対する切替要求が生じた場合にも、伝送経路の切り替えを適切に行うことが可能な伝送装置及び方法を提供することを目的とする。
【課題を解決するための手段】
【０００９】
上記課題は、取得手段と選択手段と切替手段とを備える伝送装置によって解決される。取得手段は、少なくとも一部の区間が重複する複数種類の伝送区間を対象とした信号の伝送経路の切替要求を取得する。選択手段は、優先度（例えば、複数種類の伝送区間の夫々に対応する優先度）を示す優先度情報に基づいて、複数の切替要求（例えば、複数種類の伝送区間を対象とした切替要求）のうちのいずれか一つを選択する。切替手段は、選択手段によって選択された一つの切替要求に応じた伝送経路の切り替えを行う。【００１０】
上記課題は、取得工程と選択工程と切替工程とを備える伝送方法によって解決される。取得工程では、上述した取得手段が行う動作と同様の動作が行われる。選択工程では、上述した選択手段が行う動作と同様の動作が行われる。切替工程では、上述した切替手段が行う動作と同様の動作が行われる。
【発明の効果】
【００１１】
以上説明した伝送装置によれば、複数種類の伝送区間を対象とした切替要求が生じた場合には、優先度を示す優先度情報に基づいて、いずれか一つの切替要求に応じた伝送経路の切り替えが行われる。このため、複数種類の伝送区間を対象とした切替要求（つまり、複数の切替要求）が生じた場合であっても、複数の切替要求を実行する順番等に依存することなく、伝送区間の優先度に応じた適切な伝送経路の切り替えが行われる。言い換えれば、上述の伝送装置によれば、伝送経路の切り替えの完了（言い換えれば、障害が生じている回線の救済）までの時間が相対的に長くなってしまったり、最適な切り替えが行われなくなってしまったり、或いは不要な切り替えが発生してしまいかねないという技術的な問題点が生ずる不都合を好適になくすないしは抑制することができる。【００１２】
一例として、例えば、第１の伝送装置と第２の伝送装置との間の第１の伝送区間（例えば、パス）に生じた障害に起因した現用回線から予備回線への第１の切替要求、並びに当該第１及び第２の伝送装置を中間ノードとして含む第２の伝送区間（例えば、ＴＣＭ）に対してＦＳによる予備回線から現用回線への第２の切替要求が発生した場合について検討する。また、優先度情報は、第１の伝送区間の優先度が第２の伝送区間の優先度よりも高いことを示しているものとする。この場合、第１の切替要求に応じて、第１の伝送装置と第２の伝送装置との間の第１の伝送区間では、現用回線から予備回線への切り替えが行われる。一方で、第２の切替要求は、第１の切替要求と比較して優先度が相対的に低い第２の伝送区間に対する切替要求である。このため、第１及び第２の伝送装置を中間ノードとして含む第２の伝送区間では、予備回線から現用回線への切り替えが行われない。このため、第１の伝送区間で障害が発生している状態で第２の伝送区間での現用回線への切り替えが行われてしまうことによって、第１の伝送装置と第２の伝送装置との間の信号の正常な伝送が困難になってしまうという不都合が生ずることはなくなる。【００１３】
以上説明した伝送方法によれば、上述した伝送装置が享受する効果と同様の効果を享受することができる。
【図面の簡単な説明】
【００１４】
【図１】本実施形態の伝送システムの構成の一例を示すブロック図である。
【図２】本実施形態の伝送装置の構成の一例を示すブロック図である。
【図３】本実施形態の伝送装置の構成の他の一例を示すブロック図である。
【図４】ＯＴＮフレームのデータ構造を示すデータ構造図である。
【図５】ＯＴＮフレーム中に含まれるＡＰＳバイトのデータ構造を示すデータ構造図である。
【図６】ＯＴＮフレーム中に含まれるＭＦＡＳのデータ構造を示すデータ構造図である。
【図７】第１動作例に対応する伝送装置の動作の一例を示すシーケンス図である。
【図８】第１動作例において用いられる優先順位テーブルの一例を示すテーブル図である。
【図９】第２動作例で用いられるＡＰＳバイトのデータ構造を示すデータ構造図である。
【図１０】第２動作例に対応する伝送装置の動作の一例を示すシーケンス図である。
【図１１】第２動作例において用いられる優先順位テーブルの一例を示すテーブル図である。
【図１２】第２動作例に対応する伝送装置の動作の他の一例を示すシーケンス図である。
【図１３】第３動作例で用いられるＡＰＳバイトのデータ構造を示すデータ構造図である。
【図１４】第３動作例に対応する伝送装置の動作の一例を示すシーケンス図である。
【図１５】第３動作例に対応する伝送装置の動作の他の一例を示すシーケンス図である。
【図１６】第４動作例に対応する伝送装置の動作の一例を示すシーケンス図である。
【発明を実施するための最良の形態】
【００１５】
以下、本発明を実施するための最良の形態を、図面に基づいて説明する。尚、以下の説明では、ＩＴＵ−Ｔ（International Telecommunication Union Telecommunication Standardization Sector）勧告のＯＴＮ（Optical Transport Network）に準拠している伝送装置を例にあげて説明を進める。【００１６】
（１）伝送システムの構成
図１を参照して、本実施形態の伝送装置１０を備える伝送システム１の構成について説明する。図１は、本実施形態の伝送システム１の構成の一例を示すブロック図である。【００１７】
図１に示すように、伝送システム１は、複数の伝送装置１０と、ライナー伝送路２０とを備えている。図１に示す伝送システム１の構成は一例であり、その他の構成を有する伝送システム（例えば、リング伝送路を介して複数の伝送装置が接続されている伝送システム等）に対して、以下に説明する伝送装置１０を適用してもよい。【００１８】
複数の伝送装置１０は、ライナー伝送路２０を介して相互に接続されている。複数の伝送装置１０の夫々は、ライナー伝送路２０を用いて、他の伝送装置１０との間での所定の信号（例えば、後述するＯＴＮフレーム４０：図４参照）の送受信を行うことができる。図１では、５つの伝送装置１０（具体的には、伝送装置（＃１）１０、伝送装置（＃２）１０、伝送装置（＃３）１０、伝送装置（＃４）１０及び伝送装置（＃５）１０）を備える例が開示されているが、図１に示す伝送装置１０の数は一例である。伝送システム１は、任意の数の伝送装置１０を備えていてもよい。【００１９】
ライナー伝送路２０は、複数の伝送装置１０間での信号の送受信を行うための伝送路である。ライナー伝送路２０は、例えば光ファイバ等を含んでいる。図１に示す例では、１つの伝送装置１０から見て、信号の送信に用いられる光ファイバ及び信号の受信に用いられる光ファイバを含む例を示している。ライナー伝送路２０は、その帯域のうちの一部が現用回線２１又は２３として利用され、その帯域のうちの他部が予備回線２２又は２４として使用される。図１では、１つの伝送装置１０から見て、信号の送信（又は、受信）に用いられる光ファイバの帯域のうちの一部が現用回線２１として利用され、当該光ファイバの帯域のうちの他部が予備回線２２として使用される例を示している。同様に、図１では、１つの伝送装置１０から見て、信号の受信（又は、送信）に用いられる光ファイバの帯域のうちの一部が現用回線２３として利用され、当該光ファイバの帯域のうちの他部が予備回線２４として使用される例を示している。【００２０】
伝送システム１は、伝送すべき信号の伝送経路に対する階層化概念を採用している。本実施形態では、伝送システム１は、パス、ＴＣＭ（Tandem Connection Monitoring：ＯＴＮでは、最大６つのＴＣＭ）及びセクションという３種類の階層化されたセグメント（伝送区間）を採用している。尚、図１に示す階層化されたセグメントは一例であり、他のセグメントの概念を採用してもよいし、より多くの種類の若しくはより少ない種類のセグメントの概念を採用してもよい。【００２１】
（２）伝送装置の構成
図２を参照して、本実施形態の伝送装置１０の構成について説明する。図２は、本実施形態の伝送装置１０の構成の一例を示すブロック図である。【００２２】
図２に示すように、伝送装置１０は、伝送装置１０の動作を制御又は管理する制御系ユニット１１と、制御系ユニット１１の制御下でライナー伝送路２０を介して伝送装置１０の外部との間で信号を送受信するインタフェースカード１２とを備えている。図２では、現用回線２１及び２３用のインタフェースカード１２並びに予備回線２２及び２４用のインタフェースカード１２を備える例が開示されている。つまり、図２では、１本の現用回線２１（或いは、２３）と１本の予備回線２２（或いは、２４）とを切り替える１＋１切替を行う伝送装置１０の例が開示されている。制御系ユニット１１及びインタフェースカード１２の夫々は、例えば、バックワイヤリングボード（Back Wiring Board）を背面に搭載しているブックシェルフ型の筐体に対して実装される。【００２３】
制御系ユニット１１は、ハードウェアレジスタ１１０と、現用側障害検出部１１１と、予備側障害検出部１１２と、「選択手段」の一例である切替制御部１１３と、「優先度情報」の一例である優先順位テーブル１１４と、「切替手段」の一例である切替Ｉ／Ｏ（Input / Output）設定部１１５と、「取得手段」、「送信手段」及び「受信手段」の一例であるＡＰＳ（Automatic Protection Switching：自動保護切替）バイト送受信部１１６と、「取得手段」の一例であるコマンド入力部１１７と、セレクタ１１８とを備えている。【００２４】
ハードウェアレジスタ１１０は、信号の受信時には、インタフェースカード１２から転送される信号を内部に格納する。ハードウェアレジスタ１１０は、現用側障害検出部１１１、予備側障害検出部又はＡＰＳバイト送受信部１１６からの読み取り要求に応じて、当該格納した信号を現用側障害検出部１１１、予備側障害検出部１１２又はＡＰＳバイト送受信部１１６に対して出力する。ハードウェアレジスタ１１０は、信号の送信時には、切替Ｉ／Ｏ設定部１１５から転送されるセレクタ制御信号を内部に格納する。ハードウェアレジスタ１１０は、当該格納したセレクタ制御信号をセレクタ１１８に対して出力する。【００２５】
現用側障害検出部１１１は、インタフェースカード１２から転送される信号等に基づいて、現用回線２１又は２３に生ずる障害の有無を検出する。【００２６】
予備側障害検出部１１２は、インタフェースカード１２から転送される信号等に基づいて、予備回線２２又は２４に生ずる障害の有無を検出する。【００２７】
切替制御部１１３は、現用側障害検出部１１１及び予備側障害検出部１１２における障害の検出結果やＡＰＳバイト送受信部１１６が受信するＡＰＳバイト４１１（図４参照）や監視装置３０から入力されるコマンドに基づいて、伝送システム１における信号の伝送経路の切り替えを制御する。例えば、切替制御部１１３は、現用回線２１から予備回線２２への切り替え（或いは、現用回線２３から予備回線２４への切り替え）や、予備回線２２から現用回線２１への切り替え（或いは、予備回線２４から現用回線２３への切り替え）を行うか否かを決定する。或いは、例えば、切替制御部１１３は、現用回線２１及び予備回線２２のいずれを信号の伝送経路として用いるか（或いは、現用回線２３及び予備回線２４のいずれを信号の伝送経路として用いるか）を選択する。切替制御部１１３は、伝送経路の切り替えを行う場合には、セレクタ１１８の入出力を適切に切り替えるよう、切替Ｉ／Ｏ設定部１１５に対して適切なセレクタ制御信号を出力するよう指示する。【００２８】
優先順位テーブル１１４は、現用回線２１から予備回線２２への切り替え（或いは、現用回線２３から予備回線２４への切り替え）や、予備回線２２から現用回線２１への切り替え（或いは、予備回線２４から現用回線２３への切り替え）を行うか否かを決定する際の優先順位（言い換えれば、決定条件）を示すテーブルである。優先順位テーブル１１４は、切替制御部１１３内の不図示のメモリ等に格納されていてもよいし、その他の位置に配置されるメモリ等に格納されてもよい。【００２９】
切替Ｉ／Ｏ設定部１１５は、切替制御部１１３の制御の下に、セレクタ１１８の入出力を切り替えるためのセレクタ制御信号をハードウェアレジスタ１１０に対して出力する。【００３０】
ＡＰＳバイト送受信部１１６は、インタフェースカード１２から転送される信号に含まれるＡＰＳバイト４１１（図４参照）を取得すると共に、取得したＡＰＳバイト４１１を切替制御部１１３に対して転送する。また、ＡＰＳバイト送受信部１１６は、切替制御部１１３から出力されるＡＰＳバイト４１１の送信指示に応答して、インタフェースカード１２に対して転送される信号（つまり、伝送装置１０の外部に送信される信号）に対してＡＰＳバイト４１１を付加する。【００３１】
コマンド入力部１１７は、例えば外部の監視装置３０を介して外部のオペレータ等から伝送装置１０に対して入力されるコマンド（具体的には、例えば、回線の切替要求に関するコマンド）の入力を受け付ける。コマンド入力部１１７は、入力されたコマンドを切替制御部１１３に対して出力する。また、コマンド入力部１１７は、伝送装置１０に発生したアラームやそのほか各種ログを含むレポートを監視装置３０に対して出力する。【００３２】
セレクタ１１８は、ハードウェアレジスタ１１０に格納されたセレクタ制御信号を適宜読み取ることで、１＋１切替を行う。つまり、セレクタ１１８は、現用回線２１から予備回線２２への切り替え（或いは、現用回線２３から予備回線２４への切り替え）や、予備回線２２から現用回線２１への切り替え（或いは、予備回線２４から現用回線２３への切り替え）を行う。【００３３】
図２では、１＋１切替を行う伝送装置１０について説明している。しかしながら、１：ｎ切替を行う伝送装置１０を本実施形態の伝送システム１に対して適用してもよい。１：ｎ切替を行う場合には、図３に示すように、伝送装置１０は、現用回線の数ｎに応じた複数の現用障害検出部１１１＿１から１１１＿ｎと、現用回線の数ｎに応じた現用回線用の複数のインタフェースカード１２を備えるという点で、図２に示す伝送装置１０とは異なっている。１：ｎ切替を行う伝送装置１０のその他の構成については、１＋１切替を行う伝送装置１０と同様であってもよい。【００３４】
（３）ＯＴＮフレームのデータ構造
図４から図６を参照して、本実施形態の伝送システム１上で送受信される信号であるＯＴＮフレーム４０のデータ構造について説明する。図４は、ＯＴＮフレーム４０のデータ構造を示すデータ構造図である。図５は、ＯＴＮフレーム４０中に含まれるＡＰＳバイト４１１のデータ構造を示すデータ構造図である。図６は、ＯＴＮフレーム４０中に含まれるＭＦＡＳ４１２のデータ構造を示すデータ構造図である。【００３５】
図４に示すように、ＯＴＮフレーム４０は、ＦＡ／ＯＴＵｋ／ＯＤＵｋオーバーヘッド部（Frame Alignment / Optical channel Transport Unit k /Optical channel Data Unit k Overhead）４１と、ＯＰＵｋオーバーヘッド部（Optical channel Payload Unit k Overhead）４２と、ＯＰＵｋペイロード部（OPUk Payload）４３と、ＯＴＵｋエラー訂正部（OTUk FEC : OTUk Forward Error Correction）４４を含んでいる。ＯＴＮフレーム４０のデータ構造は、ＩＴＵ−Ｔ  Ｇ．７０９によって定義されている。【００３６】
ＦＡ／ＯＴＵｋ／ＯＤＵｋオーバーヘッド部４１は、第１列目から第１４列目までのフィールドに相当する１４バイト×４行のフレームサイズを有している。ＦＡ／ＯＴＵｋ／ＯＤＵｋオーバーヘッド部４１は、ＯＴＮフレーム４０の伝送及び伝送品質の管理等に用いられる。ＦＡ／ＯＴＵｋ／ＯＤＵｋオーバーヘッド部４１には、例えば、ＦＡオーバーヘッド部や、ＭＦＡＳ（Multi Frame Alignment Signal：マルチフレームアライメント信号）４１２や、ＯＴＵｋオーバーヘッド部や、ＴＣＭ１からＴＣＭ６（Tandem Connection Monitoring：タンデムコネクションモニタリング）や、ＦＴＦＬ（Fault Type & Fault Location reporting channel：フォールトタイプ＆フォールト位置報告チャネル）や、ＰＭ（Path Monitoring：パスモニタリング）や、ＥＸＰ（Experimental：エクスペリメンタル）や、ＧＣＣ１からＧＣＣ２（General Communication Channel：ジェネラルコミュニケーションチャネル）や、ＡＰＳバイト４１１や、ＲＥＳ（Reserved：リザーブド）エリアが含まれている。【００３７】
ＯＰＵｋオーバーヘッド部４２は、第１５列目及び第１６列目のフィールドに相当する２バイト×４行のフレームサイズを有している。ＯＰＵｋオーバーヘッド部４２は、ＯＰＵｋペイロード部４３を制御及び管理するための各種情報が含まれている。具体的には、ＯＰＵｋオーバーヘッド部４２には、例えば、ＰＳＩ（Payload Structure Identifier：ペイロード構造識別子）や、マッピング・連結部（Mapping & Concat. specific）等が含まれている。【００３８】
ＯＰＵｋペイロード部４３は、第１７列目から第３８２４列目までのフィールドに相当する３８０８バイト×４行のフレームサイズを有している。ＯＰＵｋペイロード部４３には、１以上のサービスを提供するクライアントの信号が含まれる。【００３９】
ＯＴＵｋエラー訂正部４４は、第３８２５列目から第４０８０列目までのフィールドに相当する２５６バイト×４行のフレームサイズを有している。ＯＴＵｋエラー訂正部４４は、ＯＴＮフレーム４０の伝送中に生じた誤りを訂正するための各種情報が含まれている。【００４０】
ここで、本実施形態における伝送経路の切り替えに関係する情報の一例であるＡＰＳバイト４１１及びＭＦＡＳ４１２について、更に説明を加える。【００４１】
図４に示すように、ＡＰＳバイト４１１は、「要求状態情報」の一例である４ビットのサイズを有する要求状態（Request / State）と、４ビットのサイズを有する保護タイプ（Protection Type）と、８ビットのサイズを有する要求信号（Requested Signal）と、８ビットのサイズを有するブリッジ信号（Bridged Signal）と、８ビットのサイズを有するＲＥＳエリアとを含んでいる。ＡＰＳバイト４１１のデータ構造は、ＩＴＵ−Ｔ  Ｇ．８７３．１等によって定義されている。【００４２】
図５に示すように、要求状態は、その値が「１１１１」となる場合には、「Lockout of Protection（ＬＯ）」を示している。要求状態は、その値が「１１１０」となる場合には、「Forced Switch（ＦＳ）」を示している。要求状態は、その値が「１１００」となる場合には、「Signal Fail（ＳＦ）」を示している。要求状態は、その値が「１０１０」となる場合には、「Signal Degrade（ＳＤ）」を示している。要求状態は、その値が「１０００」となる場合には、「Manual Switch（ＭＳ）」を示している。要求状態は、その値が「０１１０」となる場合には、「Wait-to-Restore（ＷＴＲ）」を示している。要求状態は、その値が「０１００」となる場合には、「Exercise（ＥＸＥＲ）」を示している。要求状態は、その値が「００１０」となる場合には、「Reverse Request（ＲＲ）」を示している。要求状態は、その値が「０００１」となる場合には、「Do Not Revert（ＤＮＲ）」を示している。要求状態は、その値が「００００」となる場合には、「No Request（ＮＲ）」を示している。【００４３】
保護タイプは、Ａフィールドの値が「０」となる場合には、「No APS Channel」を示している。保護タイプは、Ａフィールドの値が「１」となる場合には、「APS Channel」を示している。保護タイプは、Ｂフィールドの値が「０」となる場合には、「１＋１切替」を示している。保護タイプは、Ｂフィールドの値が「１」となる場合には、「１：ｎ切替」を示している。保護タイプは、Ｃフィールドの値が「０」となる場合には、「Unidirectional Switching」を示している。保護タイプは、Ｃフィールドの値が「１」となる場合には、「Bidirectional Switching」を示している。保護タイプは、Ｄフィールドの値が「０」となる場合には、「Non-revertive Operation」を示している。保護タイプは、Ｄフィールドの値が「１」となる場合には、「Revertive Operation」を示している。【００４４】
要求信号は、隣接する他の伝送装置１０（例えば、ニアエンド：NENDの伝送装置１０）が、伝送経路の切り替えによって伝送するべきであると要求している信号を示す。一方で、ブリッジ信号は、伝送経路の切り替えによってブリッジされる信号を示す。いずれも、その値が「０」となる場合には「Null Signal」を示し、その値が「１」から「２５４」となる場合には「Normal Traffic Signal」を示し、その値が「２５５」となる場合には「Extra Traffic Signal」を示す。【００４５】
図４に示すように、ＭＦＡＳ４１２は、３ビットのサイズを有するモニタリングレベル（Monitoring Level）と、５ビットのサイズを有するその他の情報とを含んでいる。モニタリングレベルは、「区間種類情報」の一具体例に相当しており、ＡＰＳバイト４１１がいずれのセグメントに対応するＡＰＳバイト４１１であるか（言い換えれば、ＡＰＳバイト４１１を含むＯＴＮフレーム４０が、いずれのセグメントに対応するＯＴＮフレーム４０であるか）を示している。【００４６】
具体的には、図６に示すように、モニタリングレベルは、その値が「０００」となる場合には、ＡＰＳバイト４１１がパスに対応するＡＰＳバイト４１１であることを示している。モニタリングレベルは、その値が「００１」となる場合には、ＡＰＳバイト４１１がＴＣＭ１に対応するＡＰＳバイト４１１であることを示している。モニタリングレベルは、その値が「０１０」となる場合には、ＡＰＳバイト４１１がＴＣＭ２に対応するＡＰＳバイト４１１であることを示している。モニタリングレベルは、その値が「０１１」となる場合には、ＡＰＳバイト４１１がＴＣＭ３に対応するＡＰＳバイト４１１であることを示している。モニタリングレベルは、その値が「１００」となる場合には、ＡＰＳバイト４１１がＴＣＭ４に対応するＡＰＳバイト４１１であることを示している。モニタリングレベルは、その値が「１０１」となる場合には、ＡＰＳバイト４１１がＴＣＭ５に対応するＡＰＳバイト４１１であることを示している。モニタリングレベルは、その値が「１１０」となる場合には、ＡＰＳバイト４１１がＴＣＭ６に対応するＡＰＳバイト４１１であることを示している。モニタリングレベルは、その値が「１１１」となる場合には、ＡＰＳバイト４１１がセクションに対応するＡＰＳバイト４１１であることを示している。つまり、ＭＦＡＳ４１２の値を変えることによって、ＯＴＮフレーム４０毎に、ＡＰＳバイト４１１が対応するセグメントを変更することができる。言い換えれば、ＭＦＡＳ４１２の値を変えることによって、マルチフレームでＡＰＳバイト４１１を伝送することができる。【００４７】
（４）第１動作例
図７及び図８を参照して、伝送装置１０の第１動作例（伝送システム１の第１動作例）について説明する。図７は、第１動作例に対応する伝送装置１０の動作の一例を示すシーケンス図である。図８は、第１動作例において用いられる優先順位テーブル１１４の一例を示すテーブル図である。【００４８】
図７に示すように、６つの伝送装置（具体的には、伝送装置（＃１）１０、伝送装置（＃２）１０、伝送装置（＃３）１０、伝送装置（＃４）１０、伝送装置（＃５）１０及び伝送装置（＃６）１０）が、ライナー伝送路２０を介して相互に接続される伝送システム１上での動作を例にあげて、第１動作例について説明する。より具体的には、伝送装置（＃１）１０と伝送装置（＃２）１０とがライナー伝送路２０を介して接続され、伝送装置（＃２）１０と伝送装置（＃３）１０とがライナー伝送路２０を介して接続され、伝送装置（＃３）１０と伝送装置（＃４）１０とがライナー伝送路２０を介して接続され、伝送装置（＃４）１０と伝送装置（＃５）１０とがライナー伝送路２０を介して接続され、伝送装置（＃５）１０と伝送装置（＃６）１０とがライナー伝送路２０を介して接続される伝送システム１上での動作を例にあげて、第１動作例について説明する。【００４９】
図７に示す伝送システム１では、ＴＣＭは、以下のように設定されている。ＴＣＭ１は、伝送装置（＃１）１０と伝送装置（＃３）１０との間及び伝送装置（＃４）１０と伝送装置（＃６）１０との間の夫々に設定される。ＴＣＭ２は、伝送装置（＃１）１０と伝送装置（＃４）１０との間に設定される。ＴＣＭ３は、伝送装置（＃２）１０と伝送装置（＃６）１０との間に設定される。ＴＣＭ４は、伝送装置（＃３）１０と伝送装置（＃５）１０との間に設定される。ＴＣＭ６は、伝送装置（＃２）１０と伝送装置（＃５）１０との間に設定される。尚、パスは、伝送装置（＃１）１０と伝送装置（＃２）１０との間、伝送装置（＃２）１０と伝送装置（＃３）１０との間、伝送装置（＃３）１０と伝送装置（＃４）１０との間、伝送装置（＃４）１０と伝送装置（＃５）１０との間及び伝送装置（＃５）１０と伝送装置（＃６）１０との間の夫々のセグメントに相当する。セクションは、伝送装置（＃１）１０と伝送装置（＃６）１０との間のセグメントに相当する。【００５０】
図７に示すように、例えば、伝送装置（＃３）１０から伝送装置（＃２）１０へと向かう側のパスの現用回線２３に障害が発生したとする。この障害は、例えば、伝送装置（＃２）１０の現用側障害検出部１１１により検出される。加えて、例えば、伝送装置（＃４）１０に対して、コマンド入力部１１７を介して、ＦＳ（Forced Switch）に基づくＴＣＭ２（言い換えれば、上述の障害が発生するパスと一部が重複するＴＣＭ２）での伝送経路の現用回線への切替コマンドが入力されたとする。また、伝送経路の切り替えは、双方向（Bidirectional）の１＋１切替によって行われるものとする。但し、その他の方法での切り替え（例えば、１：ｎ切替）であって、同様の動作が行われる。【００５１】
伝送装置（＃３）１０から伝送装置（＃２）１０へと向かう側の現用回線２３に発生した障害に応答して、伝送装置（＃２）１０のＡＰＳバイト送受信部１１６は、時刻ｔ１１の時点で、伝送装置（＃３）１０に対して、要求状態が「ＳＦ」であり、要求信号が「０（予備）」であり、且つブリッジ信号が「１（現用）」となるＡＰＳバイト４１１を送信する。このとき、当該ＡＰＳバイト４１１がパスに対応していることを示すため、当該ＡＰＳバイト４１１が含まれるＯＴＮフレーム４０のＭＦＡＳ４１２は、パスであることを示す値「０００」に設定される。尚、以下の説明では、説明の簡略化のため、要求状態、要求信号及びブリッジ信号を含むＡＰＳバイト４１１並びにモニタリングレベルを含むＭＦＡＳ４１２をまとめて、「（要求状態）／（要求信号）／（ブリッジ信号）／（モニタリングレベル）」という表記で説明する。従って、伝送装置（＃２）１０から伝送装置（＃３）１０に対して送信されるＡＰＳバイト４１１は、「ＳＦ／０／１／パス」という表記で説明される。【００５２】
一方で、ＦＳに基づくＴＣＭ２での伝送経路の切替コマンドの入力に応答して、伝送装置（＃４）１０からは、時刻ｔ１１の時点で、ＴＣＭ２に収容されている伝送装置（＃３）１０に対して、「ＦＳ／１／０／ＴＣＭ２」というＡＰＳバイト４１１が送信される。尚、伝送装置（＃４）１０からは、ＴＣＭ２に収容されているその他の伝送装置（＃１）１０及び伝送装置（＃２）１０に対して、「ＦＳ／１／０／ＴＣＭ２」というＡＰＳバイト４１１が送信されてもよい。【００５３】
伝送装置（＃３）１０には、「ＳＦ／０／１／パス」というＡＰＳバイト４１１と「ＦＳ／１／０／ＴＣＭ２」というＡＰＳバイト４１１の双方が送信される。つまり、伝送装置（＃３）１０には、一部が重複する複数のセグメントを対象とした複数の切替要求（つまり、複数のＡＰＳバイト４１１の送信）がなされている。第１動作例では、伝送装置（＃３）１０が備える切替制御部１１３は、複数のセグメントの夫々の優先度を考慮した優先順位テーブル１１４に基づいて、一部が重複する複数のセグメントを対象とした複数の切替要求のうちのいずれか一つを、実際に伝送経路を切り替える切替要求として選択する。言い換えれば、伝送装置（＃３）１０が備える切替制御部１１３は、複数のセグメントの夫々の優先度を考慮した優先順位テーブル１１４に基づいて、複数のＡＰＳバイト４１１のうちのいずれか一つを、実際に伝送経路を切り替えるために参照するＡＰＳバイト４１１として選択する。【００５４】
複数のセグメントの夫々の優先度を考慮した優先順位テーブル１１４の一例は、図８に示されている。図８に示すように、優先順位テーブル１１４は、同一の要求状態に対してパス、ＴＣＭ及びセクションの順に優先度が低くなるように、複数のセグメントの夫々の優先度を設定している。具体的には、優先順位テーブル１１４は、ＬＯに基づくパスの切替要求、ＬＯに基づくＴＣＭの切替要求、ＬＯに基づくセクションの切替要求、ＦＳに基づくパスの切替要求、ＳＦに基づくパスの切替要求、ＳＤに基づくパスの切替要求、ＦＳに基づくＴＣＭの切替要求、ＳＦに基づくＴＣＭの切替要求、ＳＤに基づくＴＣＭの切替要求、ＦＳに基づくセクションの切替要求、ＳＦに基づくセクションの切替要求、ＳＤに基づくセクションの切替要求、ＭＳに基づくパスの切替要求、ＭＳに基づくＴＣＭの切替要求、ＭＳに基づくセクションの切替要求、ＷＴＲに基づくパスの切替要求、ＷＴＲに基づくＴＣＭの切替要求、ＷＴＲに基づくセクションの切替要求、ＥＸＥＲに基づくパスの切替要求、ＥＸＥＲに基づくＴＣＭの切替要求、ＥＸＥＲに基づくセクションの切替要求、ＲＲに基づくパスの切替要求、ＲＲに基づくＴＣＭの切替要求、ＲＲに基づくセクションの切替要求、ＤＮＲに基づくパスの切替要求、ＤＮＲに基づくＴＣＭの切替要求、ＤＮＲに基づくセクションの切替要求、ＮＲに基づくパスの切替要求、ＮＲに基づくＴＣＭの切替要求及びＮＲに基づくセクションの切替要求の順に優先度が低くなるように、複数のセグメントの夫々の優先度を設定している。【００５５】
尚、図８に示す優先度の設定態様は一例であって、任意の優先順位となるように各セグメントの優先度を設定してもよい。また、ＯＴＮでは最大６つのＴＣＭ（つまり、ＴＣＭ１からＴＣＭ６）が設定されることを考慮すれば、優先順位テーブル１１４は、ＴＣＭ１からＴＣＭ６の夫々の優先順位を更に設定してもよい。【００５６】
図８に示す優先順位テーブル１１４によれば、「ＳＦ／０／１／パス」というＡＰＳバイト４１１の優先度は、「ＦＳ／１／０／ＴＣＭ２」というＡＰＳバイト４１１の優先度よりも高いことが判明する。従って、伝送装置（＃３）１０が備える切替制御部１１３は、伝送装置（＃３）１０から伝送装置（＃２）１０へと向かう側の現用回線２３に発生した障害に対する伝送経路の切り替えを行う。言い換えれば、伝送装置（＃３）１０が備える切替制御部１１３は、伝送装置（＃４）１０からのＦＳに基づくＴＣＭ２での伝送経路の切替要求には応答しない。このため、伝送装置（＃３）１０が備えるＡＰＳバイト送受信部１１６は、伝送装置（＃２）１０への応答として、「ＲＲ／１／１／パス」というＡＰＳバイト４１１を送信する。その結果、伝送装置（＃３）１０から伝送装置（＃２）１０へと向かう側の信号の伝送経路は、現用回線２３から予備回線２４へと切り替えられる。【００５７】
一方で、ＦＳに基づくＴＣＭ２での伝送経路の切替要求を行った伝送装置（＃４）１０の切替制御部１１３は、ＡＰＳバイト４１１の送信後一定時間以内に（具体的には、例えば、時刻ｔ１２までに）応答のＡＰＳバイト４１１の送信がない場合には、伝送経路の切り替えを行うことができないと判定することが好ましい。【００５８】
以上説明したように、第１動作例によれば、伝送装置１０は、複数種類のセグメント（つまり、パス、ＴＣＭ及びセクション）を対象とした複数の切替要求が生じた場合には、複数種類のセグメントの夫々の優先度を考慮した優先順位テーブル１１４に基づいて、いずれか一つの切替要求に応じた伝送経路の切り替えを行うことができる。【００５９】
仮に複数種類のセグメントの夫々の優先度を考慮した優先順位テーブル１１４を参照しなければ、「ＳＦ」という要求状態の優先度が「ＦＳ」という要求状態の優先度よりも低くなりかねない。このため、図７に示す例では、「ＳＦ／０／１／パス」というＡＰＳバイト４１１の優先度が、「ＦＳ／１／０／ＴＣＭ２」というＡＰＳバイト４１１の優先度よりも低くなってしまいかねない。従って、ＴＣＭ２での現用回線への切り替えが行われてしまう。しかしながら、ＴＣＭ２と一部が重複する伝送装置（＃２）１０と伝送装置（＃３）１０との間のパスの現用回線２３に障害が発生しているため、ＴＣＭ２での現用回線への切り替え後の信号の伝送が適切に行われなくなってしまう。このため、ＴＣＭ２での適切な伝送を行うために、伝送装置１０は、再度伝送経路の切り替えを行う必要がある。従って、最適な切り替えが行われないばかりか、最適な切り替えを行うためには不要な切替要求を繰り返し行うことが想定される。【００６０】
しかるに、本実施形態によれば、複数種類のセグメントを対象とした複数の切替要求が生じた場合であっても、各セグメントの優先度に応じた適切な伝送経路の切り替えが行われる。言い換えれば、上述の伝送装置１０によれば、複数の切替要求を実行する順番等に依存して、伝送経路の切り替えの完了（言い換えれば、障害が生じている回線の救済）までの時間が相対的に長くなってしまったり、最適な切り替えが行われなくなってしまったり、或いは不要な切り替えが発生してしまいかねないという技術的な問題点が生ずる不都合を好適になくすないしは抑制することができる。【００６１】
尚、図７では、伝送装置（＃３）１０が、「ＳＦ／０／１／パス」というＡＰＳバイト４１１と「ＦＳ／０／１／ＴＣＭ２」というＡＰＳバイト４１１の双方を同時に受信する例について説明している。しかしながら、「ＳＦ／０／１／パス」というＡＰＳバイト４１１と「ＦＳ／０／１／ＴＣＭ２」というＡＰＳバイト４１１の双方を同時に受信しない場合（つまり、相前後して受信する場合）であっても、上述した効果を享受することができる。具体的には、一部が重複する複数のセグメントを対象とした複数の切替要求が相前後して１台の伝送装置１０に対して行われた場合であっても、新たに受信した切替要求の優先度とそれまでに受信していた切替要求の優先度とを比較することで、上述した効果を享受することができる。【００６２】
（５）第２動作例
図９から図１２を参照して、伝送装置１０の第２動作例（伝送システム１の第２動作例）について説明する。図９は、第２動作例で用いられるＡＰＳバイト４１１ａのデータ構造を示すデータ構造図である。図１０は、第２動作例に対応する伝送装置１０の動作の一例を示すシーケンス図である。図１１は、第２動作例において用いられる優先順位テーブル１１４ａの一例を示すテーブル図である。図１２は、第２動作例に対応する伝送装置１０の動作の他の一例を示すシーケンス図である。【００６３】
図９に示すように、第２動作例では、ＡＰＳバイト４１１ａは、その一部のフィールドに、当該ＡＰＳバイト４１１ａを送信する伝送装置１０を識別するためのソース装置ＩＤ４１１１を含んでいる。ソース装置ＩＤ４１１１は、「位置情報」及び「識別情報」の一例である。図９に示す例では、ＡＰＳバイト４１１ａは、第８列目の第１ビットから第６ビットにソース装置ＩＤ４１１１を含む例が開示されている。つまり、図９に示す例では、２＾６＝６４個の伝送装置を個別に識別することが可能なソース装置ＩＤ４１１１をＡＰＳバイト４１１ａに含める例が開示されている。【００６４】
ソース装置ＩＤ４１１１は、ＡＰＳバイト４１１ａがパスに対応する場合、ＡＰＳバイト４１１ａがＴＣＭに対応する場合、及びＡＰＳバイト４１１ａがセクションに対応する場合のいずれの場合にも、ＡＰＳバイト４１１ａに含められることが好ましい。但し、ソース装置ＩＤ４１１１は、ＡＰＳバイト４１１ａ以外のＯＴＮフレーム４０中の任意のフィールドに含められていてもよい。【００６５】
ＡＰＳバイト４１１ａに含められるソース装置ＩＤ４１１１は、例えば、当該ＡＰＳバイト４１１ａを受信した伝送装置１０が、受信したＡＰＳバイト４１１ａが隣接する伝送装置１０（つまり、ＮＥＮＤ（Near END）の伝送装置１０）から送信されているか否かを判定するために用いられる。言い換えれば、ＡＰＳバイト４１１ａに含められるソース装置ＩＤ４１１１は、例えば、当該ＡＰＳバイト４１１ａを受信した伝送装置１０が、受信したＡＰＳバイト４１１ａが隣接していない遠方の伝送装置１０（つまり、ＦＥＮＤ（Far END）の伝送装置１０）から送信されているか否かを判定するために用いられる。第２動作例では、伝送装置１０は、上述した複数のセグメントの夫々の優先度に加えて、ＡＰＳバイト４１１ａがＦＥＮＤの伝送装置１０から送信されているか否かに応じた優先度を考慮して、受信する複数のＡＰＳバイト４１１ａのうちのいずれか一つを、実際に伝送経路を切り替えるために参照するＡＰＳバイト４１１ａとして選択する。言い換えれば、伝送装置１０は、上述した複数のセグメントの夫々の優先度に加えて、切替要求がＦＥＮＤの伝送装置１０からなされているか否かに応じた優先度を考慮して、複数の切り替え要求のうちのいずれか一つを、実際に伝送経路を切り替える切替要求として選択する。以下、具体例を交えながら、第２動作例について説明を進める。【００６６】
図１０に示すように、図７に示す伝送システム１と同一の伝送システム１上での動作を例に挙げて、第２動作例について説明する。図１０中の「伝送装置（＃Ｘ（Ｘ＝１〜６））」が示す「Ｘ」は、各伝送装置１０の装置ＩＤを示す。【００６７】
図１０に示すように、例えば、伝送装置（＃３）１０から伝送装置（＃２）１０へと向かう側のパスの現用回線２３に障害が発生したとする。この障害は、例えば、伝送装置（＃２）１０の現用側障害検出部１１１により検出される。加えて、例えば、伝送装置（＃５）１０に対して、コマンド入力部１１７を介して、ＦＳ（Forced Switch）に基づくＴＣＭ６（言い換えれば、上述の障害が発生するパスと一部が重複するＴＣＭ６）での伝送経路の現用回線への切替コマンドが入力されたとする。【００６８】
伝送装置（＃３）１０から伝送装置（＃２）１０へと向かう側の現用回線２３に発生した障害に応答して、伝送装置（＃２）１０のＡＰＳバイト送受信部１１６は、時刻ｔ２１の時点で、伝送装置（＃３）１０に対して、「ＳＦ／１／１／ＩＤ＝２／パス」というＡＰＳバイト４１１ａを送信する。尚、以下の説明では、説明の簡略化のため、要求状態、要求信号、ブリッジ信号及びソース装置ＩＤ４１１１を含むＡＰＳバイト４１１ａ並びにモニタリングレベルを含むＭＦＡＳ４１２をまとめて、「（要求状態）／（要求信号）／（ブリッジ信号）／（ソース装置ＩＤ４１１１）／（モニタリングレベル）」という表記で説明する。【００６９】
伝送装置（＃３）１０が備える切替制御部１１３は、ソース装置ＩＤ４１１１を含むＡＰＳバイト４１１ａの受信により、伝送装置（＃３）１０に隣接している伝送装置１０の装置ＩＤが「２」であることを認識する。また、伝送装置（＃３）１０が備える切替制御部１１３は、伝送装置（＃３）１０から伝送装置（＃２）１０へと向かう側の現用回線２３に発生した障害に対する伝送経路の切り替えを行う。つまり、伝送装置（＃３）１０から伝送装置（＃２）１０へと向かう側の信号の伝送経路は、現用回線２３から予備回線２４へと切り替えられる。【００７０】
伝送経路の切り替えに伴って、伝送装置（＃３）１０が備えるＡＰＳバイト送受信部１１６は、伝送装置（＃２）１０への応答として、「ＲＲ／１／１／ＩＤ＝３／パス」というＡＰＳバイト４１１ａを送信する。その結果、伝送装置（＃２）１０が備える切替制御部１１３は、ソース装置ＩＤ４１１１を含むＡＰＳバイト４１１ａの受信により、伝送装置（＃２）１０に隣接している伝送装置１０の装置ＩＤが「３」であることを認識する。【００７１】
一方で、ＦＳに基づくＴＣＭ６での伝送経路の切替コマンドの入力に応答して、伝送装置（＃５）１０からは、時刻ｔ２２の時点で、ＴＣＭ６に収容されており且つＴＣＭ６の終端ノード（つまり、中間ノード以外の両端のノード）となる伝送装置（＃２）１０に対して、「ＦＳ／０／１／ＩＤ＝５／ＴＣＭ６」というＡＰＳバイト４１１ａが送信される。尚、伝送装置（＃５）１０からは、ＴＣＭ６に収容されているその他の伝送装置（＃３）１０及び伝送装置（＃４）１０に対して、「ＦＳ／０／１／ＩＤ＝５／ＴＣＭ６」というＡＰＳバイト４１１ａが送信されてもよい。【００７２】
その結果、伝送装置（＃２）１０には、それまでに送信していた「ＳＦ／１／１／ＩＤ＝２／パス」というＡＰＳバイト４１１ａに基づく切替要求に加えて、新たに受信した「ＦＳ／０／１／ＩＤ＝５／ＴＣＭ６」というＡＰＳバイト４１１ａに基づく切替要求が発生することになる。第２動作例では、伝送装置（＃２）１０が備える切替制御部１１３は、複数のセグメントの夫々の優先度及びＡＰＳバイト４１１ａがＦＥＮＤの伝送装置１０から送信されているか否かに応じた優先度を考慮した優先順位テーブル１１４ａに基づいて、一部が重複する複数のセグメントを対象とした複数の切替要求のうちのいずれか一つを、実際に伝送経路を切り替える切替要求として選択する。【００７３】
複数のセグメントの夫々の優先度及びＡＰＳバイト４１１ａがＦＥＮＤの伝送装置１０から送信されているか否かに応じた優先度を考慮した優先順位テーブル１１４ａの一例は、図１１に示されている。図１１に示すように、優先順位テーブル１１４ａは、要求状態単体の優先度の順位については図８に示す優先順位テーブルの順位を採用している。一方で、図１１に示すように、優先順位テーブル１１４ａは、パス、ＴＣＭ、ＴＣＭ（ＦＥＮＤ）、セクション及びセクション（ＦＥＮＤ）の順に優先度が低くなるように、ＡＰＳバイト４１１ａがＦＥＮＤの伝送装置１０から送信されているか否かに応じた優先度を設定している。つまり、優先順位テーブル１１４ａは、ＡＰＳバイト４１１ａがＦＥＮＤの伝送装置１０から送信されている場合の優先度を、ＡＰＳバイト４１１ａがＮＥＮＤの伝送装置１０から送信されている場合の優先度よりも低くしている。言い換えれば、優先順位テーブル１１４ａは、パスの切替要求、ＮＥＮＤの伝送装置１０からのＴＣＭの切替要求、ＦＥＮＤの伝送装置１０からのＴＣＭの切替要求、ＮＥＮＤの伝送装置１０からのセクションの切替要求及びＦＥＮＤの伝送装置１０からのセクションの切替要求の順に優先度が低くなるように、ＡＰＳバイト４１１ａがＦＥＮＤの伝送装置１０から送信されているか否かに応じた優先度を設定している。【００７４】
尚、図１１に示す優先度の設定態様は一例であって、任意の優先順位となるように各セグメントの優先度及びＡＰＳバイト４１１ａがＦＥＮＤの伝送装置１０から送信されているか否かに応じた優先度を設定してもよい。【００７５】
伝送装置（＃２）１０の切替制御部１１３は、「ＦＳ／０／１／ＩＤ＝５／ＴＣＭ６」というＡＰＳバイト４１１ａに含まれるソース装置ＩＤ４１１１を参照することで、当該ＡＰＳバイト４１１ａが、ＦＥＮＤの伝送装置（＃５）１０から送信されていることを認識する。図１１に示す優先順位テーブル１１４ａによれば、「ＳＦ／１／１／ＩＤ＝２／パス」というＡＰＳバイト４１１の優先度は、「ＦＳ／０／１／ＩＤ＝５／ＴＣＭ６（ＦＥＮＤ）」というＡＰＳバイト４１１の優先度よりも高いことが判明する。従って、伝送装置（＃２）１０が備える切替制御部１１３は、伝送装置（＃５）１０からのＦＳに基づくＴＣＭ６での伝送経路の切替要求には応答しない。【００７６】
或いは、図１２に示すように、伝送装置（＃５）１０に対してＦＳ（Forced Switch）に基づくＴＣＭ６での伝送経路の現用回線への切替コマンドが入力されることに代えて、伝送装置（＃３）１０に対してＬＯ（Lockout of Protection）に基づくＴＣＭ６での伝送経路の現用回線への切替コマンドが入力された場合について説明する。尚、図１２に示す伝送システム１は、ＴＣＭ６が、伝送装置（＃２）１０と伝送装置（＃３）１０との間に設定されているという点で、図１０に示す伝送システム１とは異なる。【００７７】
図１２に示すように、伝送装置（＃３）１０から伝送装置（＃２）１０へと向かう側の現用回線２３に発生した障害に対しては、図１０と同様の態様で、伝送装置（＃３）１０から伝送装置（＃２）１０へと向かう側の信号の伝送経路は、現用回線２３から予備回線２４へと切り替えられる。【００７８】
一方で、ＬＯに基づくＴＣＭ６での伝送経路の切替コマンドの入力に応答して、伝送装置（＃３）１０からは、時刻ｔ２２の時点で、ＴＣＭ６に収容されており且つＴＣＭ６の終端ノード（つまり、中間ノード以外の両端のノード）となる伝送装置（＃２）１０に対して、「ＬＯ／０／１／ＩＤ＝３／ＴＣＭ６」というＡＰＳバイト４１１ａが送信される。【００７９】
その結果、伝送装置（＃２）１０には、それまでに送信していた「ＳＦ／１／１／ＩＤ＝２／パス」というＡＰＳバイト４１１ａに基づく切替要求に加えて、新たに受信した「ＬＯ／０／１／ＩＤ＝３／ＴＣＭ６」というＡＰＳバイト４１１ａに基づく切替要求が発生することになる。伝送装置（＃２）１０の切替制御部１１３は、「ＬＯ／０／１／ＩＤ＝３／ＴＣＭ６」というＡＰＳバイト４１１ａに含まれるソース装置ＩＤ４１１１を参照することで、当該ＡＰＳバイト４１１ａが、ＮＥＮＤの伝送装置（＃２）１０から送信されていることを認識する。図１１に示す優先順位テーブル１１４ａによれば、「ＳＦ／１／１／ＩＤ＝２／パス」というＡＰＳバイト４１１の優先度は、「ＬＯ／０／１／ＩＤ＝３／ＴＣＭ６（ＦＥＮＤ）」というＡＰＳバイト４１１の優先度よりも低いことが判明する。従って、伝送装置（＃２）１０が備える切替制御部１１３は、伝送装置（＃３）１０からのＬＯに基づくＴＣＭ６での伝送経路の切替要求に応答する。従って、伝送装置（＃２）１０が備えるＡＰＳバイト送受信部１１６は、伝送装置（＃３）への応答として、「ＲＲ／０／０／ＩＤ＝２／ＴＣＭ６」というＡＰＳバイト４１１ａを送信する。【００８０】
一方で、それまでの伝送経路の切り替えを行っていたパスでは、切り替えが行われなくなる。このため、伝送装置（＃２）１０が備えるＡＰＳバイト送受信部１１６は、パスでの伝送装置（＃３）１０への応答として、「ＳＦ／１／０／ＩＤ＝２／パス」というＡＰＳバイト４１１ａを送信する。このＡＰＳバイト４１１ａを受信した伝送装置（＃３）１０が備えるＡＰＳバイト送受信部１１６は、パスでの切り替えが行われなくなったため、パスでの伝送装置（＃２）１０への応答として、「ＮＲ／０／０／ＩＤ＝３／パス」というＡＰＳバイト４１１ａを送信する。【００８１】
以上説明したように、第２動作例によれば、第１動作例と同様に、伝送装置１０は、複数種類のセグメント（つまり、パス、ＴＣＭ及びセクション）を対象とした複数の切替要求が生じた場合には、複数種類のセグメントの夫々の優先度を考慮した優先順位テーブル１１４に基づいて、いずれか一つの切替要求に応じた伝送経路の切り替えを行うことができる。【００８２】
第２動作例によれば、伝送装置１０（例えば、ＴＣＭを終端する伝送装置１０であり、図１０及び図１２における伝送装置（＃２）１０等）は、切替要求が（或いは、ＡＰＳバイト４１１ａの送信）がＦＥＮＤの伝送装置１０によって行われているか否かに応じて、複数の切替要求のうちのいずれか一つの切替要求を選択することができる。従って、伝送装置１０は、優先度の高いパスにおける伝送経路の切り替えを行っている場合には、優先度の低いＦＥＮＤの伝送装置１０から要求されているＴＣＭ又はセクションでの伝送経路の切り替えを行わなくともよくなる。或いは、伝送装置１０は、優先度の高いＮＥＮＤの伝送装置１０から要求されているＴＣＭ又はセクションにおける伝送経路の切り替えを行っている場合には、優先度の低いＦＥＮＤの伝送装置１０から要求されているＴＣＭ又はセクションでの伝送経路の切り替えを行わなくともよくなる。このため、複数のパスをまたぐＴＣＭ又はセクションでの切替要求が、当該ＴＣＭ又はセクションと一部重複するパスでの切替要求に対して悪影響を及ぼす事態をなくす又は減らすことができる。言い換えれば、複数のパスをまたぐＴＣＭ又はセクションを終端する伝送装置１０は、当該ＴＣＭ又はセクションと一部重複する中間のパスで行われている伝送経路の切り替えに対して悪影響を及ぼす不必要な切り替えを行わなくなる。従って、伝送装置１０は、より好適に、伝送経路の切り替えを行うことができる。【００８３】
（６）第３動作例
図１３から図１５を参照して、伝送装置１０の第３動作例（伝送システム１の第３動作例）について説明する。図１３は、第３動作例で用いられるＡＰＳバイト４１１ｂのデータ構造を示すデータ構造図である。図１４は、第３動作例に対応する伝送装置１０の動作の一例を示すシーケンス図である。図１５は、第３動作例に対応する伝送装置１０の動作の他の一例を示すシーケンス図である。【００８４】
図１３に示すように、第３動作例では、ＡＰＳバイト４１１ｂは、その一部のフィールドに、当該ＡＰＳバイト４１１ｂを送信する伝送装置１０を識別するためのソース装置ＩＤ４１１１及び当該ＡＰＳバイト４１１ｂが切替要求そのものを示しているのか又は切り替えを行っている旨の他の伝送装置１０に対する通知を示しているのかを識別する転送情報４１１２を含んでいる。図９に示す例では、ＡＰＳバイト４１１ｂは、第８列目の第１ビットから第６ビットにソース装置ＩＤ４１１１を含み、且つ第８列目の第７ビットに転送情報４１１２を含む例が開示されている。つまり、図９に示す例では、転送情報４１１２は、１ビットのフラグとなる例が開示されている。例えば、転送情報４１１２が「０（ＮＥＮＤ）」となる場合には、ＡＰＳバイト４１１ｂは、切替要求を示している（つまり、当該ＡＰＳバイト４１１ｂを受信する伝送装置１０に対して、伝送経路の切り替えを要求している）。一方で、転送情報４１１２が「１（ＦＥＮＤ）」となる場合には、ＡＰＳバイト４１１ｂは、ＡＰＳバイト４１１によって示される切り替えを行っている旨を、他の伝送装置１０に対して通知している。【００８５】
ＡＰＳバイト４１１ｂに含められるソース装置ＩＤ４１１１については、第２動作例と同様に、当該ＡＰＳバイト４１１ｂを受信した伝送装置１０が、受信したＡＰＳバイト４１１ｂがＮＥＮＤ又はＦＥＮＤの伝送装置１０から送信されているのかを判定するために用いられる。また、ＡＰＳバイト４１１ｂに含められるソース装置ＩＤ４１１１は、当該ＡＰＳバイト４１１ｂを受信した伝送装置１０が、受信したＡＰＳバイト４１１ｂがどの伝送装置１０から送信されているのかを判定するために用いられてもよい。【００８６】
ＡＰＳバイト４１１ｂに含められる転送情報４１１２は、当該ＡＰＳバイト４１１ｂを受信した伝送装置１０が、受信したＡＰＳバイト４１１ｂに応じた伝送経路の切り替えを行うのか又は受信したＡＰＳバイト４１１ｂに応じた伝送経路の切り替えが他の伝送装置１０によって行われている旨を認識するにとどめるのかを決定するために用いられる。例えば、転送情報４１１２が「０」であれば、伝送装置１０は、受信したＡＰＳバイト４１１ｂに応じた伝送経路の切り替え（例えば、上述した第１及び第２動作例に基づく切り替え等）を行うことを決定する。一方で、例えば、転送情報４１１２が「１」であれば、伝送装置１０は、受信したＡＰＳバイト４１１ｂに応じた伝送経路の切り替えが他の伝送装置１０によって行われている旨を認識するにとどめることを決定する。尚、伝送装置１０は、転送情報４１１２を参照することで認識した他の伝送装置１０によって行われている伝送経路の切り替えについても、上述した優先順位テーブル１１４又は１１４ａを参照することで、新たに送信するべき又は受信したＡＰＳバイト４１１やコマンド等による切替要求との間での優先度の比較を行うことが好ましい。つまり、伝送装置１０は、新たに送信するべき又は受信したＡＰＳバイト４１１やコマンド等による切替要求によって行うべき伝送経路の切り替えを、他の伝送装置１０によって行われている伝送経路の切り替えに対して優先して行うのか否かを決定することが好ましい。【００８７】
尚、転送情報４１１２を「１」に設定した上でのＡＰＳバイト４１１ｂの送信は、ＴＣＭ又はセクションの中間ノード（言い換えれば、終端ノードないしは両端ノードではないノード）に相当する伝送装置１０によって行われることが好ましい。また、転送情報４１１２を「１」に設定した上でのＡＰＳバイト４１１ｂの送信は、ＴＣＭ又はセクションの中間ノードに相当する伝送装置１０であって且つパスでの伝送経路の切り替えを行っている伝送装置１０によって行われることが好ましい。もちろん、伝送経路の切り替えを実際に行っている任意の伝送装置１０が、転送情報４１１２を「１」に設定した上でのＡＰＳバイト４１１ｂの送信を行ってもよい。【００８８】
図１４に示すように、図１２に示す伝送システム１と同一の伝送システム１上での動作を例に挙げて、第３動作例について説明する。図１４中の「伝送装置（＃Ｘ（Ｘ＝１〜６））」が示す「Ｘ」は、各伝送装置１０の装置ＩＤを示す。【００８９】
図１４に示すように、例えば、伝送装置（＃３）１０から伝送装置（＃２）１０へと向かう側のパスの現用回線２３に障害が発生したとする。この障害は、例えば、伝送装置（＃３）１０の現用側障害検出部１１１によって検出される。伝送装置（＃３）１０から伝送装置（＃２）１０へと向かう側の現用回線２３に発生した障害に応答して、伝送装置（＃３）１０のＡＰＳバイト送受信部１１６は、時刻ｔ３１の時点で、伝送装置（＃２）１０に対して、「ＳＦ／１／１／ＩＤ＝３／ＮＥＮＤ（０）／パス」というＡＰＳバイト４１１ｂを送信する。尚、以下の説明では、説明の簡略化のため、要求状態、要求信号、ブリッジ信号，ソース装置ＩＤ４１１１及び転送情報４１１２を含むＡＰＳバイト４１１ａ並びにモニタリングレベルを含むＭＦＡＳ４１２をまとめて、「（要求状態）／（要求信号）／（ブリッジ信号）／（ソース装置ＩＤ４１１１）／（転送情報４１１２）／（モニタリングレベル）」という表記で説明する。【００９０】
伝送装置（＃２）１０が備える切替制御部１１３は、ソース装置ＩＤ４１１１を含むＡＰＳバイト４１１ｂの受信により、伝送装置（＃２）１０に隣接している伝送装置１０の装置ＩＤが「３」であることを認識する。また、伝送装置（＃２）１０が備える切替制御部１１３は、転送情報４１１２が「０」となるＡＰＳバイト４１１ｂの受信により、受信したＡＰＳバイト４１１ｂに応じた伝送経路の切り替えを行うことを決定する。つまり、伝送装置（＃２）１０が備える切替制御部１１３は、伝送装置（＃２）１０から伝送装置（＃３）１０へと向かう側の現用回線２３に発生した障害に対する伝送経路の切り替えを行う。従って、伝送装置（＃３）１０から伝送装置（＃２）１０へと向かう側の信号の伝送経路は、現用回線２３から予備回線２４へと切り替えられる。【００９１】
伝送経路の切り替えに伴って、伝送装置（＃２）１０が備えるＡＰＳバイト送受信部１１６は、伝送装置（＃３）１０への応答として、「ＲＲ／１／１／ＩＤ＝２／ＮＥＮＤ（０）／パス」というＡＰＳバイト４１１ｂを送信する。その結果、伝送装置（＃３）１０が備える切替制御部１１３は、ソース装置ＩＤ４１１１を含むＡＰＳバイト４１１ｂの受信により、伝送装置（＃３）１０に隣接している伝送装置１０の装置ＩＤが「２」であることを認識する。【００９２】
その後、伝送装置（＃２）１０は、時刻ｔ３２の時点で、パスでの伝送経路の切り替えを行っている旨を、当該伝送装置（＃２）１０を中間ノードとして収容しているＴＣＭ又はセクションに収容されている他の伝送装置１０に対して通知する。この通知は、転送情報４１１２が「１」となるＡＰＳバイト４１１ｂの送信によって行われる。具体的には、図１４に示す例では、伝送装置（＃２）１０は、ＴＣＭ１、ＴＣＭ２及びセクションに中間ノードとして収容されている。従って、伝送装置（＃２）１０が備えるＡＰＳバイト送受信部１１６は、「ＳＦ／１／１／ＩＤ＝２／ＦＥＮＤ（１）／ＴＣＭ１」というＡＰＳバイト４１１ｂを、ＴＣＭ１に収容されている他の伝送装置１０（例えば、伝送装置（＃１）１０）に送信する。伝送装置（＃２）１０が備えるＡＰＳバイト送受信部１１６は、「ＳＦ／１／１／ＩＤ＝２／ＦＥＮＤ（１）／ＴＣＭ２」というＡＰＳバイト４１１ｂを、ＴＣＭ２に収容されている他の伝送装置１０（例えば、伝送装置（＃１）１０）に送信する。伝送装置（＃２）１０が備えるＡＰＳバイト送受信部１１６は、「ＳＦ／１／１／ＩＤ＝２／ＦＥＮＤ（１）／セクション」というＡＰＳバイト４１１ｂを、セクションに収容されている他の伝送装置１０（例えば、伝送装置（＃１）１０）に送信する。【００９３】
この結果、例えば伝送装置（＃１）１０は、ＴＣＭ１、ＴＣＭ２及びセクションのうちの少なくとも一部の区間（例えば、パス）で、ＳＦに基づく伝送経路の切り替えが行われていることを認識することができる。つまり、伝送装置（＃１）１０は、自身が直接認識することができない又は困難なＴＣＭ１、ＴＣＭ２及びセクションのうちの少なくとも一部の区間（例えば、パス）での伝送経路の切り替えの有無を認識することができる。従って、伝送装置（＃１）１０は、ＴＣＭ１、ＴＣＭ２及びセクションと重複するパスでの伝送経路の切り替えの有無を考慮しながら、伝送経路の切り替えが可能な場合に又は伝送経路の切り替えが悪影響を及ぼさない場合に、選択的にＴＣＭ１、ＴＣＭ２及びセクションでの伝送経路の切り替えを行うことができる。従って、適切な伝送経路の切り替えを行うことができる。【００９４】
同様に、伝送装置（＃３）１０は、時刻ｔ３２の時点で、パスでの伝送経路の切り替えを行っている旨を、当該伝送装置（＃３）１０を中間ノードとして収容しているＴＣＭ又はセクションに収容されている他の伝送装置１０に対して通知する。この通知は、ＡＰＳバイト送受信部１１６による転送情報４１１２が「１」となるＡＰＳバイト４１１ｂの送信によって行われる。具体的には、図１４に示す例では、伝送装置（＃３）１０は、ＴＣＭ２、ＴＣＭ３及びセクションに中間ノードとして収容されている。従って、伝送装置（＃３）１０が備えるＡＰＳバイト送受信部１１６は、「ＳＦ／１／１／ＩＤ＝３／ＦＥＮＤ（１）／ＴＣＭ２」というＡＰＳバイト４１１ｂを、ＴＣＭ２に収容されている他の伝送装置１０（例えば、伝送装置（＃４）１０）に送信する。伝送装置（＃３）１０が備えるＡＰＳバイト送受信部１１６は、「ＳＦ／１／１／ＩＤ＝３／ＦＥＮＤ（１）／ＴＣＭ３」というＡＰＳバイト４１１ｂを、ＴＣＭ３に収容されている他の伝送装置１０（例えば、伝送装置（＃４）１０、伝送装置（＃５）１０及び伝送装置（＃６）１０）に送信する。伝送装置（＃３）１０が備えるＡＰＳバイト送受信部１１６は、「ＳＦ／１／１／ＩＤ＝３／ＦＥＮＤ（１）／セクション」というＡＰＳバイト４１１ｂを、セクションに収容されている他の伝送装置１０（例えば、伝送装置（＃４）１０、伝送装置（＃５）１０及び伝送装置（＃６）１０）に送信する。【００９５】
この結果、例えば伝送装置（＃４）１０は、ＴＣＭ２、ＴＣＭ３及びセクションのうちの少なくとも一部の区間（例えば、パス）で、ＳＦに基づく伝送経路の切り替えが行われていることを認識することができる。従って、伝送装置（＃４）１０は、ＴＣＭ２、ＴＣＭ３及びセクションと重複するパスでの伝送経路の切り替えの有無を考慮しながら、伝送経路の切り替えが可能な場合に又は伝送経路の切り替えが悪影響を及ぼさない場合に、選択的にＴＣＭ２、ＴＣＭ３及びセクションでの伝送経路の切り替えを行うことができる。従って、適切な伝送経路の切り替えを行うことができる。【００９６】
同様に、例えば伝送装置（＃５）１０及び伝送装置（＃６）１０は、ＴＣＭ３及びセクションのうちの少なくとも一部の区間（例えば、パス）で、ＳＦに基づく伝送経路の切り替えが行われていることを認識することができる。従って、伝送装置（＃５）１０及び伝送装置（＃６）１０は、ＴＣＭ３及びセクションと重複するパスでの伝送経路の切り替えの有無を考慮しながら、伝送経路の切り替えが可能な場合に又は伝送経路の切り替えが悪影響を及ぼさない場合に、選択的にＴＣＭ３及びセクションでの伝送経路の切り替えを行うことができる。従って、適切な伝送経路の切り替えを行うことができる。【００９７】
尚、伝送装置１０は、相対的に優先度の低い要求状態に応じて伝送経路の切り替えを行っている場合には、「１」に設定されている転送情報４１１２を含むＡＰＳバイト４１１ｂを用いて伝送経路の切り替えを行っている旨を他の伝送装置１０に通知しなくともよい。言い換えれば、伝送装置１０は、相対的に優先度の高い一部の要求状態（例えば、ＬＯやＦＳやＳＦやＳＤ）に応じて伝送経路の切り替えを行っている場合に、「１」に設定されている転送情報４１１２を含むＡＰＳバイト４１１ｂを用いて伝送経路の切り替えを行っている旨を他の伝送装置１０に通知してもよい。このように通知すれば、優先度が低い要求状態に応じて伝送経路の切り替えを行っている通知が送信されてないため、ライナー伝送路２０上の通信負荷を低減させることができる。【００９８】
また、伝送装置１０は、相対的に優先度の低い要求状態に応じて伝送経路の切り替えを行っている場合には、他の伝送装置１０から通知されている相対的に優先度の高いＡＰＳバイト４１１ｂをそのまま他の伝送装置１０に対して転送してもよい。具体的に、図１５に示す伝送システム１上での動作を例にあげて説明する。【００９９】
図１５に示すように、図１４に示す伝送経路の切り替え及び伝送経路の切り替えを行っている旨の通知が行われた後、伝送装置（＃４）１０に対してＭＳ（Manual Switch）に基づく伝送装置（＃４）１０と伝送装置（＃５）１０との間のパスでの伝送経路の現用回線への切替コマンドが入力された場合について説明する。【０１００】
図１５に示すように、ＭＳに基づくパスでの伝送経路の切替コマンドの入力に応答して、伝送装置（＃４）１０からは、時刻ｔ３３の時点で、伝送装置（＃５）１０に対して、「ＭＳ／０／１／ＩＤ＝４／ＮＥＮＤ（０）／パス」というＡＰＳバイト４１１ｂが送信される。【０１０１】
伝送装置（＃５）１０が備える切替制御部１１３は、ソース装置ＩＤ４１１１を含むＡＰＳバイト４１１ｂの受信により、伝送装置（＃５）１０に隣接している伝送装置１０の装置ＩＤが「４」であることを認識する。また、伝送装置（＃５）１０が備える切替制御部１１３は、転送情報４１１２が「０」となるＡＰＳバイト４１１ｂの受信により、受信したＡＰＳバイト４１１ｂに応じた伝送経路の切り替えを行うことを決定する。つまり、伝送装置（＃５）１０が備える切替制御部１１３は、伝送装置（＃４）１０と伝送装置（＃５）１０との間のパスでの伝送経路の切り替えを行う。【０１０２】
伝送経路の切り替えに伴って、伝送装置（＃５）１０が備えるＡＰＳバイト送受信部１１６は、伝送装置（＃４）１０への応答として、「ＲＲ／１／１／ＩＤ＝５／ＮＥＮＤ（０）／パス」というＡＰＳバイト４１１ｂを送信する。その結果、伝送装置（＃４）１０が備える切替制御部１１３は、ソース装置ＩＤ４１１１を含むＡＰＳバイト４１１ｂの受信により、伝送装置（＃４）１０に隣接している伝送装置１０の装置ＩＤが「５」であることを認識する。【０１０３】
伝送装置（＃４）１０及び伝送装置（＃５）１０の夫々は、伝送経路の切り替えを行っている間にも、伝送装置（＃３）１０から、「ＳＦ／１／１／ＩＤ＝３／ＦＥＮＤ（１）／ＴＣＭ３」というＡＰＳバイト４１１ｂ及び「ＳＦ／１／１／ＩＤ＝３／ＦＥＮＤ（１）／セクション」というＡＰＳバイト４１１ｂを受信している。ここで、伝送装置（＃４）１０及び伝送装置（＃５）１０の夫々は、図８に示す優先順位テーブル１１４によれば、「ＳＦ／１／１／ＩＤ＝３／ＦＥＮＤ（１）／ＴＣＭ３」というＡＰＳバイト４１１ｂ及び「ＳＦ／１／１／ＩＤ＝３／ＦＥＮＤ（１）／セクション」というＡＰＳバイト４１１ｂの優先度は、「ＭＳ／０／１／ＩＤ＝４／ＮＥＮＤ（０）／パス」というＡＰＳバイト４１１ｂの優先度よりも高いと判定する。従って、伝送装置（＃４）１０及び伝送装置（＃５）１０の夫々は、伝送装置（＃３）１０から送信されている「ＳＦ／１／１／ＩＤ＝３／ＦＥＮＤ（１）／ＴＣＭ３」というＡＰＳバイト４１１ｂ及び「ＳＦ／１／１／ＩＤ＝３／ＦＥＮＤ（１）／セクション」というＡＰＳバイト４１１ｂを他の伝送装置１０に対して転送する。言い換えれば、伝送装置（＃４）は、ＭＳに基づくパスでの伝送経路の切り替えを他の伝送装置１０に対して通知するための「ＭＳ／１／１／ＩＤ＝４／ＦＥＮＤ（１）／ＴＣＭ３」というＡＰＳバイト４１１ｂ（図１５中の点線矢印参照）及び「ＭＳ／１／１／ＩＤ＝４／ＦＥＮＤ（１）／セクション」というＡＰＳバイト４１１ｂ（図１５中の点線矢印参照）を他の伝送装置１０に転送しなくともよい。同様に、伝送装置（＃５）は、ＭＳに基づくパスでの伝送経路の切り替えを他の伝送装置１０に対して通知するための「ＭＳ／１／１／ＩＤ＝５／ＦＥＮＤ（１）／ＴＣＭ３」というＡＰＳバイト４１１ｂ及び「ＭＳ／１／１／ＩＤ＝５／ＦＥＮＤ（１）／セクション」というＡＰＳバイト４１１ｂを他の伝送装置１０に転送しなくともよい。【０１０４】
尚、伝送装置（＃４）１０は、ＴＣＭ３及びセクションに加えて、ＴＣＭ４にも中間ノードとして収容されている。一方で、ＴＣＭ４では、伝送装置（＃３）１０から優先度の高いＡＰＳバイト４１１ｂは送信されていない。従って、伝送装置（＃４）１０が備えるＡＰＳバイト送受信部１１６は、「ＭＳ／１／１／ＩＤ＝４／ＦＥＮＤ（１）／ＴＣＭ４」というＡＰＳバイト４１１ｂを、ＴＣＭ４に収容されている他の伝送装置１０（例えば、伝送装置（＃３）１０）に送信してもよい。同様に、伝送装置（＃５）１０は、ＴＣＭ３及びセクションに加えて、ＴＣＭ１にも中間ノードとして収容されている。一方で、ＴＣＭ１では、伝送装置（＃３）１０から優先度の高いＡＰＳバイト４１１ｂは送信されていない。従って、伝送装置（＃５）１０が備えるＡＰＳバイト送受信部１１６は、「ＭＳ／１／１／ＩＤ＝５／ＦＥＮＤ（１）／ＴＣＭ１」というＡＰＳバイト４１１ｂを、ＴＣＭ４に収容されている他の伝送装置１０（例えば、伝送装置（＃６）１０）に送信してもよい。【０１０５】
（７）第４動作例
図１６を参照して、伝送装置１０の第４動作例（伝送システム１の第４動作例）について説明する。図１６は、第４動作例に対応する伝送装置１０の動作の一例を示すシーケンス図である。【０１０６】
第４動作例では、ＴＣＭ又はセクションでの伝送経路の切り替えを行っている伝送装置１０は、ＡＰＳバイト４１１ｂをパスに送信することで、当該伝送経路の切り替えを行っている旨をパスに通知する。以下、図１６に示すように、図１２に示す伝送システム１と同一の伝送システム１上での動作を例に挙げて、第４動作例について説明する。【０１０７】
図１６に示すように、伝送装置（＃２）１０に対してＦＳ（Forced Switch）に基づくＴＣＭ３での伝送経路の切替コマンドが入力されたとする。ＦＳに基づくＴＣＭ３での伝送経路の切替コマンドの入力に応答して、伝送装置（＃２）１０からは、時刻ｔ４１の時点で、ＴＣＭ３を終端する伝送装置（＃６）１０に対して（或いは、ＴＣＭ３に対して）、「ＦＳ／１／１／ＩＤ＝２／ＮＥＮＤ（０）／ＴＣＭ３」というＡＰＳバイト４１１ｂが送信される。伝送装置（＃６）１０が備える切替制御部１１３は、転送情報４１１２が「０」となるＡＰＳバイト４１１ｂの受信により、受信したＡＰＳバイト４１１ｂに応じた伝送経路の切り替えを行うことを決定する。つまり、伝送装置（＃６）１０が備える切替制御部１１３は、ＴＣＭ３での伝送経路の切り替えを行う。伝送経路の切り替えに伴って、伝送装置（＃６）１０が備えるＡＰＳバイト送受信部１１６は、伝送装置（＃２）１０への応答として、「ＲＲ／１／１／ＩＤ＝６／ＮＥＮＤ（０）／ＴＣＭ３」というＡＰＳバイト４１１ｂを送信する。【０１０８】
上述した伝送経路の切り替えは、ＴＣＭ３の階層で行われているが、第４動作例では、ＴＣＭ３に収容されている伝送装置１０は、各伝送装置１０が収容されているパスに対して（言い換えれば、パスを介して隣接する他の伝送装置１０に対して）、上述したＴＣＭ３での伝送経路の切り替えが行われている旨を通知する。具体的には、ＴＣＭ３には、伝送装置（＃２）１０、伝送装置（＃３）１０、伝送装置（＃４）１０、伝送装置（＃５）１０及び伝送装置（＃６）１０が収容されている。従って、伝送装置（＃２）１０が備えるＡＰＳバイト送受信部１１６は、「ＦＳ／１／１／ＩＤ＝２／ＦＥＮＤ（１）／パス」というＡＰＳバイト４１１ｂを、伝送装置（＃３）１０に対して送信する。伝送装置（＃３）１０が備えるＡＰＳバイト送受信部１１６は、「ＦＳ／１／１／ＩＤ＝３／ＦＥＮＤ（１）／パス」というＡＰＳバイト４１１ｂを、伝送装置（＃２）１０及び伝送装置（＃４）１０に対して送信する。伝送装置（＃４）１０が備えるＡＰＳバイト送受信部１１６は、「ＦＳ／１／１／ＩＤ＝４／ＦＥＮＤ（１）／パス」というＡＰＳバイト４１１ｂを、伝送装置（＃３）１０及び伝送装置（＃５）１０に対して送信する。伝送装置（＃５）１０が備えるＡＰＳバイト送受信部１１６は、「ＦＳ／１／１／ＩＤ＝５／ＦＥＮＤ（１）／パス」というＡＰＳバイト４１１ｂを、伝送装置（＃４）１０及び伝送装置（＃６）１０に対して送信する。伝送装置（＃６）１０が備えるＡＰＳバイト送受信部１１６は、「ＦＳ／１／１／ＩＤ＝６／ＦＥＮＤ（１）／パス」というＡＰＳバイト４１１ｂを、伝送装置（＃５）１０に対して送信する。【０１０９】
これにより、ＴＣＭ又はセクションの階層での伝送経路の切り替えが行われている場合であっても、当該伝送経路の切り替えの有無をパスの階層のレベルで認識することができる。従って、パスでの伝送経路の切替要求やＴＣＭでの伝送経路の切替要求やセクションでの伝送経路の切替要求が新たに発生した場合には、パスの階層のレベルで認識されている伝送経路の切り替えの有無に応じて、伝送経路の切り替えを行うか否かの判定（言い換えれば、切替要求の優先度の判定）を行うことができる。従って、伝送装置１０は、より簡易な処理によって上述した伝送経路の切り替えを行うことができる。
【符号の説明】
【０１１０】
１０  伝送装置
１１  制御系ユニット
１１１  現用側障害検出部
１１２  予備側障害検出部
１１３  切替制御部
１１４  優先順位テーブル
１１５  切替Ｉ／Ｏ設定部
１１６  ＡＰＳバイト送受信部
１１７  コマンド入力部
１２  インタフェースカード
２０  ライナー伝送路
４０  ＯＴＮフレーム
４１  ＦＡ／ＯＴＵk／ＯＤＵｋオーバーヘッド部
４１１  ＡＰＳバイト
４１１１  ソース装置ＩＤ
４１１２  転送情報
４１２  ＭＦＡＳ
【図１】
2011125217.tif 000003
【図２】
2011125217.tif 000004
【図３】
2011125217.tif 000005
【図４】
2011125217.tif 000006
【図５】
2011125217.tif 000007
【図６】
2011125217.tif 000008
【図７】
2011125217.tif 000009
【図８】
2011125217.tif 000010
【図９】
2011125217.tif 000011
【図１０】
2011125217.tif 000012
【図１１】
2011125217.tif 000013
【図１２】
2011125217.tif 000014
【図１３】
2011125217.tif 000015
【図１４】
2011125217.tif 000016
【図１５】
2011125217.tif 000017
【図１６】
2011125217.tif 000018
【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
少なくとも一部の区間が重複する複数種類の伝送区間を対象とした信号の伝送経路の切替要求を取得する取得手段と、
優先度を示す優先度情報に基づいて、前記切替要求のうちのいずれか一つを選択する選択手段と、
選択された前記切替要求に応じた前記伝送経路の切り替えを行う切替手段と、
選択された前記切替要求に応じた前記伝送経路の切り替えを行っていることを示す切替実行情報を、前記複数種類の伝送区間のうち当該伝送装置が属する伝送区間上に位置する他の伝送装置に対して送信する送信手段と
を備えることを特徴とする伝送装置。
【請求項２】
前記切替要求は、当該切替要求の発生原因を示す要求状態情報及び当該切替要求が対象とする前記伝送区間の種類を示す区間種類情報を含んでおり、
前記優先度情報は、前記切替要求の発生原因に対応する優先度及び前記伝送区間の種類に対応する優先度の夫々を示し、
前記選択手段は、前記切替要求の発生原因及び前記伝送区間の種類の夫々に対応する優先度を示す前記優先度情報に基づいて、前記複数種類の伝送区間を対象とした前記切替要求のうちのいずれか一つを選択することを特徴とする請求項１に記載の伝送装置。
【請求項３】
前記切替要求は、当該切替要求を送信する伝送装置の位置を示す位置情報を含んでおり、
前記優先度情報は、前記伝送区間の種類に対応する優先度及び前記切替要求を受信する伝送装置に対する前記切替要求を送信する伝送装置の位置に対応する優先度の夫々を示し、
前記選択手段は、前記伝送区間の種類に対応する優先度及び前記切替要求を受信する伝送装置に対する前記切替要求を送信する伝送装置の位置に対応する優先度を示す前記優先度情報に基づいて、前記複数種類の伝送区間を対象とした前記切替要求のうちのいずれか一つを選択することを特徴とする請求項１に記載の伝送装置。
【請求項４】
前記位置情報は、前記伝送装置を識別する識別情報であることを特徴とする請求項３に記載の伝送装置。
【請求項５】
前記優先度情報は、前記切替要求を送信する伝送装置が、前記切替要求を受信する伝送装置に隣接しているか否かによって区別される優先度を示し、
前記選択手段は、前記切替要求を送信する伝送装置が前記切替要求を受信する伝送装置に隣接しているか否かによって区別される優先度を示す前記優先度情報に基づいて、前記複数種類の伝送区間を対象とした前記切替要求のうちのいずれか一つを選択することを特徴とする請求項３に記載の伝送装置。
【請求項６】
前記優先度情報は、前記切替要求を送信する伝送装置が前記切替要求を受信する伝送装置に隣接している場合の優先度が、前記切替要求を送信する伝送装置が前記切替要求を受信する伝送装置に隣接していない場合の優先度よりも高いことを示すことを特徴とする請求項１に記載の伝送装置。
【請求項７】
前記切替実行情報を受信する受信手段を更に備え、
前記送信手段は、(i)新たに受信した若しくは送信すべき前記切替実行情報の優先度がそれまでに受信していた若しくは送信していた前記切替実行情報の優先度よりも低い場合に、それまでに受信していた若しくは送信していた前記切替情報を前記他の伝送装置に対して送信し、(ii)新たに受信した若しくは送信すべき前記切替実行情報の優先度がそれまでに受信していた若しくは送信していた前記切替実行情報の優先度よりも高い場合に、新たに受信した若しくは送信すべき前記切替実行情報を前記他の伝送装置に対して送信することを特徴とする請求項１に記載の伝送装置。
【請求項８】
前記複数種類の伝送区間は、ＩＴＵ−Ｔ（International Telecommunication Union Telecommunication Standardization Sector）勧告のＯＴＮ（Optical Transport Network）に準拠したパス、セクション及びＴＣＭ（Tandem Connection Monitoring）の少なくとも一つを含むことを特徴とする請求項１に記載の伝送装置。
【請求項９】
少なくとも一部の区間が重複する複数種類の伝送区間を対象とした信号の伝送経路の切替要求を取得する取得工程と、
優先度を示す優先度情報に基づいて、前記切替要求のうちのいずれか一つを選択する選択工程と、
選択された前記切替要求に応じた前記伝送経路の切り替えを行う切替工程と、
選択された前記切替要求に応じた前記伝送経路の切り替えを行っていることを示す切替実行情報を、前記複数種類の伝送区間のうち当該伝送装置が属する伝送区間上に位置する他の伝送装置に対して送信する送信工程と
を備えることを特徴とする伝送方法。
【国際調査報告】
2011125217.tif 000019
2011125217.tif 000020